(57)【要約】      （修正有）【課題】メカニカルキー挿入孔を有するケーシングに、シャッター板が、メカニカルキー挿入孔を閉じる閉じ位置および開き位置間で作動することを可能として配設され、シャッター板を閉じ位置に規制し得る作動規制機構が、解除機構によって規制状態から規制解除状態に切換えられるようにしたシリンダ錠の保護装置において、ケーシングのデザインの自由度を増大しつつ、防水、防塵構造上有利とする。【解決手段】メカニカルキー挿入孔２７へのメカニカルキーの挿入方向と平行な方向に押圧操作することを可能とした操作部材４１が、少なくともシャッター板２９を開き位置とした状態でケーシング２８の外面から一端部を突出させるようにしてケーシング２８に支承され、シャッター板２９を操作部材４１の押圧操作に連動させて開き位置から閉じ位置に駆動する連動駆動機構８８が、操作部材４１およびシャッター板２９間に設けられる。【選択図】図４
2015108271.tif 000002
【特許請求の範囲】
【請求項１】
シリンダ錠（１１）にメカニカルキー（１４）を挿入するためのメカニカルキー挿入孔（２７）を有するケーシング（２８）と、前記メカニカルキー挿入孔（２７）を閉じる閉じ位置ならびに前記メカニカルキー挿入孔（２７）を開放する開き位置間で作動することを可能として前記ケーシング（２８）に配設されるシャッター板（２９）と、そのシャッター板（２９）を前記閉じ位置に規制する規制状態ならびに前記閉じ位置から前記開き位置への前記シャッター板（２９）の作動を許容する規制解除状態を切換え可能とした作動規制機構（５５）と、前記規制状態にある前記作動規制機構（５５）を前記規制解除状態に切換え得る解除機構（６５）とを備えるシリンダ錠の保護装置において、前記メカニカルキー挿入孔（２７）への前記メカニカルキー（１４）の挿入方向と平行な方向に押圧操作することを可能とした操作部材（４１）が、少なくとも前記シャッター板（２９）を前記開き位置とした状態で前記ケーシング（２８）の外面から前記操作部材（４１）の一端部を突出させるようにして前記ケーシング（２８）に支承され、前記シャッター板（２９）を前記操作部材（４１）の前記押圧操作に連動させて前記開き位置から前記閉じ位置に駆動する連動駆動機構（８８）が、前記操作部材（４１）および前記シャッター板（２９）間に設けられることを特徴とするシリンダ錠の保護装置。
【請求項２】
前記シャッター板（２９）が、前記閉じ位置および前記開き位置間での回動を可能として前記操作部材（４１）に軸支されることを特徴とする請求項１に記載のシリンダ錠の保護装置。
【請求項３】
前記解除機構（６５）の一部が、マグネットキー（１７）によって解錠するマグネット錠（６６）で構成されることを特徴とする請求項１または２に記載のシリンダ錠の保護装置。
【発明の詳細な説明】
【技術分野】
【０００１】
本発明は、シリンダ錠にメカニカルキーを挿入するためのメカニカルキー挿入孔を有するケーシングと、前記メカニカルキー挿入孔を閉じる閉じ位置ならびに前記メカニカルキー挿入孔を開放する開き位置間で作動することを可能として前記ケーシングに配設されるシャッター板と、そのシャッター板を前記閉じ位置に規制する規制状態ならびに前記閉じ位置から前記開き位置への前記シャッター板の作動を許容する規制解除状態を切換え可能とした作動規制機構と、前記規制状態にある前記作動規制機構を前記規制解除状態に切換え得る解除機構とを備えるシリンダ錠の保護装置に関する。
【背景技術】
【０００２】
シャッター板が、閉じ位置および開き位置間で回動することを可能としてケーシングに配設され、シャッター板に設けられるとともに前記ケーシングから一部を突出させた突起を閉じ側にスライド操作することで、シャッター板を開き位置から閉じ位置に回動させるようにしたシリンダ錠の保護装置が、たとえば特許文献１で知られている。
【先行技術文献】
【特許文献】
【０００３】
【特許文献１】特許３９１４０４３号公報
【発明の概要】
【発明が解決しようとする課題】
【０００４】
ところが、上記特許文献１で開示されたものでは、シャッター板に設けられる突起を挿通させるようにしてケーシングに設けられる開口部を円弧状に形成しなければならず、ケーシングのデザイン上の自由度が狭められてしまうとともに、開口部からケーシング内に塵埃や水が入り込むのを防止するための広い範囲での防塵、防水構造が必要となる。
【０００５】
本発明は、かかる事情に鑑みてなされたものであり、ケーシングのデザインの自由度を増大しつつ、防塵、防水構造上有利としたシリンダ錠の保護装置を提供することを目的とする。
【課題を解決するための手段】
【０００６】
上記目的を達成するために、本発明は、シリンダ錠にメカニカルキーを挿入するためのメカニカルキー挿入孔を有するケーシングと、前記メカニカルキー挿入孔を閉じる閉じ位置ならびに前記メカニカルキー挿入孔を開放する開き位置間で作動することを可能として前記ケーシングに配設されるシャッター板と、そのシャッター板を前記閉じ位置に規制する規制状態ならびに前記閉じ位置から前記開き位置への前記シャッター板の作動を許容する規制解除状態を切換え可能とした作動規制機構と、前記規制状態にある前記作動規制機構を前記規制解除状態に切換え得る解除機構とを備えるシリンダ錠の保護装置において、いて、前記メカニカルキー挿入孔への前記メカニカルキーの挿入方向と平行な方向に押圧操作することを可能とした操作部材が、少なくとも前記シャッター板を前記開き位置とした状態で前記ケーシングの外面から前記操作部材の一端部を突出させるようにして前記ケーシングに支承され、前記シャッター板を前記操作部材の前記押圧操作に連動させて前記開き位置から前記閉じ位置に駆動する連動駆動機構が、前記操作部材および前記シャッター板間に設けられることを第１の特徴とする。
【０００７】
また本発明は、第１の特徴の構成に加えて、前記シャッター板が、前記閉じ位置および前記開き位置間での回動を可能として前記操作部材に軸支されることを第２の特徴とする。
【０００８】
さらに本発明は、第１または第２の特徴の構成に加えて、前記解除機構の一部が、マグネットキーによって解錠するマグネット錠で構成されることを第３の特徴とする。
【発明の効果】
【０００９】
本発明の第１の特徴によれば、開き位置に在るシャッター板を閉じ位置側に動かすときには、少なくともシャッター板が開き位置に在る状態ではケーシングの外面から一端部を突出させている操作部材を押し込み操作すればよく、ケーシングに、従来のような円弧状の開口部を設ける必要がなく、ケーシングのデザイン上の自由度が増大し、しかも操作部材の外周およびケーシング間のシールだけを考慮すればよいので防塵、防水構造上も有利となる。
【００１０】
また本発明の第２の特徴によれば、操作部材にシャッター板が軸支されるので、シャッター板および操作部材をコンパクトに纏めて配置することができる。
【００１１】
さらに本発明の第３の特徴によれば、シャッター板を閉じ位置に規制する規制状態にある作動規制機構を規制解除状態に切換え得る解除機構の少なくとも一部をマグネット錠で構成することで、解除機構のコンパクト化が可能となる。
【図面の簡単な説明】
【００１２】
【図１】シリンダ錠の保護装置の斜視図である。
【図２】メカニカルキーおよびマグネットキーの斜視図である。
【図３】保護装置の分解斜視図である。
【図４】カバー部材を省略した状態での保護装置の正面図である。
【図５】図４の５矢視図である。
【図６】シャッター板、操作部材、作動規制機構および解除機構の相対配置を示す斜視図である。
【図７】スライド部材の斜視図である。
【図８】解除機構で作動規制機構を規制解除状態としたときの図６に対応した斜視図である。
【図９】シャッター板が開き位置に回動したときの図６に対応した斜視図である。
【図１０】シャッター板を開き位置から閉じ位置に動かしたときの図６に対応した斜視図である。
【発明を実施するための形態】
【００１３】
以下、本発明の実施の形態について、添付の図１〜図１０を参照しながら説明すると、先ず図１において、イグニッションスイッチのスイッチング態様の切換ならびにステアリングのロック状態およびアンロック状態を切換を可能として、車両たとえば自動二輪車等に用いられるシリンダ錠１１のシリンダボディ１２に保護装置１３が取付けられる。
【００１４】
図２において、前記シリンダ錠１１を解錠操作するためのメカニカルキー１４は、キープレート１５と、そのキープレート１５の一端部に設けられる合成樹脂製の把持部１６とを有しており、前記キープレート１５とは反対側で前記把持部１６にマグネットキー１７が回動可能に支持される。
【００１５】
前記マグネットキー１７のキー本体１８は合成樹脂によって形成されており、前記把持部１６側に畳まれた格納位置と、図２で示すように前記キープレート１５とは反対側に向けて前記把持部１６から突出する起立位置との間での回動を可能として、前記把持部１６に軸１９を介して支持される。
【００１６】
前記キー本体１８の一側面には、正方形の凹部２０と、該凹部２０の中央部に配置される円形突部２１と、前記凹部２０内で前記円形突部２１の周囲に配置される４個の収容凹部２２とが形成されており、４個の前記収容凹部２２のうち選択された３個の収容凹部２２にマグネット２３がそれぞれ収容された状態で、前記円形突部２１を嵌合させる円形孔２４を中央部に有する蓋部材２５を前記凹部２０に嵌合して貼着することで、前記マグネットキー１７が構成される。しかも前記マグネット２３は、そのＮ極およびＳ極のいずれか一方を前記収容凹部２２の外端側に臨ませるようにして前記収容凹部２２に収容される。
【００１７】
図３〜図５を併せて参照して、前記保護装置１３は、前記シリンダ錠１１にメカニカルキー１４を挿入するためのメカニカルキー挿入孔２７を有して前記シリンダボディ１２の一端部を覆うケーシング２８と、前記メカニカルキー挿入孔２７を閉じる閉じ位置ならびに前記メカニカルキー挿入孔２７を開放する開き位置間で作動することを可能として前記ケーシング２８に配設されるシャッター板２９とを備える。
【００１８】
前記ケーシング２８は、前記シリンダボディ１２が結合されるボディ３０と、該ボディ３０を前記シリンダボディ１２とは反対側から覆うようにして前記ボディ３０に締結されるカバー部材３１とから成る。このケーシング２８には、前記メカニカルキー挿入孔２７を閉じる閉じ位置（図４で示す位置）ならびに前記メカニカルキー挿入孔２７を開放する開き位置間で、図４の矢印で示す回動方向３２に回動することを可能としたシャッター板２９が配設されており、このシャッター板２９は前記ボディ３０および前記カバー部材３１間に配置される。
【００１９】
前記カバー部材３１は、前記ボディ３０の前記シリンダ錠１１とは反対側の一部を嵌合させるようにして該ボディ３０を覆うものであり、前記メカニカルキー挿入孔２７の軸線と直交する方向に長い略長方形の椀状に形成される。
【００２０】
このカバー部材３１の長手方向の一端部の幅方向中央部には第１のボス部３１ａが形成され、前記カバー部材３１の長手方向他端寄りの中間両側部には第２および第３のボス部３１ｂ，３１ｃが一体に形成される。一方、前記ボディ３０の外周には、第１〜第３のボス部３１ａ，３１ｂ，３１ｃを当接させる第１〜第３の支持部３０ａ，３０ｂ，３０ｃが一体に形成されており、第１〜第３の支持部３０ａ〜３０ｃに前記シリンダ錠１１側から挿通されるねじ部材３３（図３参照）が第１〜第３のボス部３１ａ〜３１ｃにねじ込まれることによって前記ボディ３０に前記カバー部材３１が締結される。
【００２１】
前記メカニカルキー挿入孔２７は、前記シリンダ錠１１内に通じ得るようにして前記ボディ３０に設けられる円形の内部孔３４と、該内部孔３４に対応して前記カバー部材３１に設けられる円形の外部孔３５とで構成され、前記シャッター板２９は、前記内部孔３４および前記外部孔３５間に介在することで前記メカニカルキー挿入孔２７を閉じることになる。
【００２２】
前記カバー部材３１の外面にはリング状の標示シート３６が貼着され、この標示シート３６には、前記メカニカルキー挿入孔２７に挿入される前記メカニカルキー１４の複数の回動操作位置が、前記メカニカルキー挿入孔２７の周囲に間隔をあけて表示される。
【００２３】
前記ケーシング２８には、前記メカニカルキー挿入孔２７への前記メカニカルキー１４の挿入方向と平行な方向に押圧操作することを可能とした操作部材４１が支承される。前記ケーシング２８における前記カバー部材３１には、前記メカニカルキー挿入孔２７と平行な軸線を有する挿通孔４２が、前記シリンダ錠１１の前記シリンダボディ１２に前記ケーシング２８が取付けられた状態で前記メカニカルキー挿入孔２７の斜め上方に位置するようにして設けられ、前記ケーシング２８における前記ボディ３０には、前記挿通孔４２に同軸に対応する支持筒部４３が一体に形成されるとともに、前記支持筒部４３の外周のうち前記メカニカルキー挿入孔２７側のほぼ半周を臨ませる円弧孔４４が形成される。
【００２４】
前記操作部材４１は棒状に形成されており、この操作部材４１の一端部は、少なくとも前記シャッター板２９を前記開き位置とした状態で前記ケーシング２８の外面から突出するものであり、この実施の形態では、前記シャッター板２９の回動位置にかかわらず前記ケーシング２８における前記カバー部材３１の外面から前記操作部材４１の一端部が突出する。
【００２５】
前記操作部材４１の一端部は前記カバー部材３１の前記挿通孔４２を移動可能に貫通して前記カバー部材３１の外面から突出され、前記操作部材４１の他端部は前記支持筒部４３に摺動可能に嵌入される。しかも前記操作部材４１の他端側には、前記円弧孔４４に配置される押圧部４５が、前記支持筒部４３に設けられて軸方向に延びるスリット４７に配置される連結腕部４６を介して一体に連結されており、前記操作部材４１はその軸線まわりに回動することを不能として前記ケーシング２８に支承される。
【００２６】
また前記操作部材４１の他端部および前記ボディ３０間には、コイル状の第１ばね４８が縮設される。前記操作部材４１は第１ばね４８のばね力で該操作部材４１の一端部を前記カバー部材３１から突出させる方向にばね付勢されており、第１ばね４８によるばね付勢方向での前記操作部材４１の移動端は、前記押圧部４５が前記カバー部材３１の内面に当接することで規制される。
【００２７】
前記カバー部材３１の裏面への前記ボディ３０の対向面には、前記シャッター板２９をその回動時に摺接させる摺接支持部４９が突設され、該摺接支持部４９は、前記シリンダボディ１２への前記ケーシング２８の取り付け状態で前記摺接支持部４９の一部が前記内部孔３４の上下に配置されるように形成される。
【００２８】
前記シャッター板２９は、前記内部孔３４および前記外部孔３５間に介在して前記メカニカルキー挿入孔２７を閉じ得るようにしつつ前記摺接支持部４９に摺接する平板状の蓋部２９ａと、この蓋板部２９ａから前記操作部材４１側に延出する支持腕部２９ｂと、前記蓋板部２９ａから前記支持腕部２９ｂと反対側に突出する突部２９ｃとを一体に有する。
【００２９】
しかも前記支持腕部２９ｂには受圧部５０が一体に連設されており、この受圧部５０は、前記操作部材４１の他端側に一体に連設された前記押圧部４５に前記操作部材４１の周方向で対向するようにして前記円弧孔４４に配置される。
【００３０】
前記支持腕部２９ｂの先端部には、前記操作部材４１を挿通させる支持孔５１が設けられており、前記シャッター板２９は、前記閉じ位置および前記開き位置間での回動を可能として前記操作部材４１に軸支されることになる。
【００３１】
前記ケーシング２８における前記ボディ３０の前記支持筒部４３と、前記シャッター板２９との間には、前記操作部材４１を囲繞するねじりばねである第２ばね５２が設けられており、この第２ばね５２の一端部は前記支持筒部４３に設けられたスリット状の係合孔５３に係合され、第２ばね５２の他端部は前記シャッター板２９の前記支持腕部２９ｂに一体に連設される前記受圧部５０に係合され、前記シャッター板２９は、第２ばね５２のばね力によって前記開き位置側に向けて回動付勢されることになる。
【００３２】
図６を併せて参照して、前記保護装置１３は、前記シャッター板２９を前記閉じ位置に規制する規制状態ならびに前記閉じ位置から前記開き位置への前記シャッター板２９の作動を許容する規制解除状態を切換え可能とした作動規制機構５５を備えており、この作動規制機構５５は、前記シャッター板２９が一体に有する前記突部２９ｃと、該突部２９ｃに前記開き位置側から係合し得る規制部材５６と、前記ケーシング２８の前記ボディ３０および前記規制部材５６間に縮設されるコイル状の第３ばね５７とで構成される。
【００３３】
前記規制部材５６は、前記メカニカルキー挿入孔２７に関して前記操作部材４１とは反対側に配置されるものであり、前記メカニカルキー挿入孔２７の軸線方向と平行な方向に長く延びる軸部５６ａと、該軸部５６ａの前記カバー部材３１側の端部から前記メカニカルキー挿入孔２７側に延びる連結腕部５６ｂと、前記軸部５６ａと平行な軸線を有しつつ前記連結腕部５６ｂの先端部に連結される円板部５６ｃと、前記シャッター板２９の前記突部２９ｃに前記開き位置側から係合することを可能として前記円板部５６ｃから前記メカニカルキー挿入孔２７側に突出する規制突部５６ｄと、前記規制突部５６ｄとは異なる方向で前記軸部５６ａの前記カバー部材３１とは反対側の端部に突設される第１係合突部５６ｅとを一体に有するように形成される。
【００３４】
この規制部材５６は、閉じ位置に在る前記シャッター板２９の前記突部２９ｃに前記規制突部５６ｄを当接させて前記シャッター板２９を閉じ位置に規制する規制位置と、前記突部２９ｃへの前記規制突部５６ｄの当接を解除して前記閉じ位置から前記開き位置への前記シャッター板２９の移動を許容する規制解除位置との間で、前記操作部材４１の移動方向と平行な方向に移動することを可能として、前記ケーシング２８の前記ボディ３９に支承され、第３ばね５７は前記規制位置側に前記規制部材５６を付勢するばね力を発揮する。
【００３５】
前記シリンダボディ１２への前記ケーシング２８の取り付け状態で前記メカニカルキー挿入孔２７の下方に位置する横断面矩形かつ有底のスライド支持孔５８が、前記カバー部材３１の裏面側に対向して開口するとともに前記メカニカルキー挿入孔２７の軸線に沿う方向に延びるようにして前記ボディ３０に設けられ、前記カバー部材３１には、前記スライド支持孔５８に対応した長方形状の挿入孔６０が設けられる。また前記メカニカルキー挿入孔２７の軸線方向と平行な方向への前記規制部材５６の移動をガイドするガイド孔５９が、前記摺接支持部４９の一部を切欠くとともに前記スライド支持孔５８に連なるようにして前記ボディ３０に設けられる。
【００３６】
図３に注目して、前記カバー部材３１の裏面には、前記挿入孔６０を内方側から閉じる蓋部材６１が支軸６２を介して回動可能に支承されており、この蓋部材６１は第４ばね６３によって閉じ側に付勢される。
【００３７】
また前記保護装置１３は、規制状態にある前記作動規制機構５５を規制解除状態に切換え得る解除機構６５を備えるものであり、この解除機構６５の一部は、前記マグネットキー１７によって解錠するマグネット錠６６で構成される。
【００３８】
前記マグネット錠６６は、前記ケーシング２８の前記ボディ３０に配設されており、前記ケーシング２８の前記ボディ３０で回動可能に支承されるロータ６７を備える。
【００３９】
前記ロータ６７は、円形の皿状部６７ａと、該皿状部６７ａの開口端から半径方向外方に張り出す鍔部６７ｂと、その鍔部６７ｂの周方向１箇所から外側方に延びる連結腕部６７ｃと、該連結腕部６７ｃの外端から前記皿状部６７ａと同一側に突出する第２係合突部６７ｄとを一体に有し、非磁性材料によって形成される。
【００４０】
前記ケーシング２８の前記ボディ３０には、前記ロータ６７の鍔部６７ｂおよび前記連結腕部６７ｃを回動可能に嵌合させる嵌合凹部６８と、該嵌合凹部６８に外端を開口するとともに前記スライド支持孔５８の前記シャッター板２９とは反対側の側面に内端を開口させて前記ロータ６７の前記皿状部６７ａを回動可能に嵌合する円形の嵌合孔６９と、前記第２係合突部６７ｄが挿入されるようにして前記嵌合凹部６８に外端を開口するとともに前記スライド支持孔５８の前記シャッター板２９とは反対側の側面に内端を開口させた長孔７０とが設けられており、前記長孔７０は、前記嵌合凹部６８および前記嵌合孔６９内での前記ロータ６７の回動を許容するようにして該ロータ６７の回動軸線を中心とした円弧状に形成される。
【００４１】
前記嵌合凹部６８は、前記ロータ６７の前記皿状部６７ａ内に嵌合して前記ロータ６７の回動を支持する支持突部７１ａを一体に有するとともにねじ部材７２で前記ボディ３０に締結される蓋部材７１で閉じられており、前記支持突部７１ａの基部および前記ロータ６７間にＯリング７３が介装される。
【００４２】
前記支持突部７１ａの先端部には、マグネットから成る複数個たとえば３個のピン７４が前記ロータ６７における前記皿状部６７ａの閉塞端内面に設けられる４つの係止凹部７５のうちの３つに係合する位置ならびにその係合を解除する位置間での移動を可能として摺動可能に嵌合されており、各ピン７４は、個別に対応したコイルばねである第５ばね７６（図３参照）によって前記ロータ６７に係合する側に弾発付勢される。
【００４３】
３つの前記ピン７４は、前記ロータ６７における前記皿状部６７ａの閉塞端外面に、前記マグネットキー１７が対向配置されたときに、該マグネットキー１７が有する３つのマグネット２３に対応する位置に配置されるようにして前記係止凹部７５に嵌合される。しかも前記マグネットキー１７における前記マグネット２３の前記マグネット錠６６側の極と同一極が前記係止凹部７５の内端側に配置されるようにして、前記ピン７４が配置されており、前記ロータ６７における前記皿状部６７ａの閉塞端外面に対向する位置に正規のマグネットキー１７を配置することで第５ばね７６の弾発付勢力に抗して前記ピン７４を前記ロータ６７との係合を解除する側に移動させることができ、それによって前記ロータ６７の回動が許容されることになる。
【００４４】
前記ケーシング２８における前記ボディ３０の前記スライド支持孔５８には、前記マグネットキー１７の前記キー本体１８を前記ケーシング２８の前記挿入孔６０に挿入するのに応じて該キー本体１８とともに移動するスライド部材７８がスライド可能に収容されており、前記解除機構６５は、前記マグネット錠６６と、前記スライド部材７８と、該スライド部材７８に収容される可動係合部材７９と、前記スライド部材７８および前記可動係合部材７９間に設けられるコイル状の第６ばね８０とで構成される。
【００４５】
図７を併せて参照して、前記スライド部材７８は、前記スライド支持孔５８の前記シャッター板２９側の側面に摺接する第１側壁部７８ａと、前記スライド支持孔５８の前記シャッター板２９とは反対側の側面に摺接するようにして第１側壁部７８ａに対向する第２側壁部７８ｂと、前記スライド支持孔５８の横断面形状における長手方向一端側で第１および第２側壁部７８ａ，７８ｂ間を連結する第１連結壁部７８ｃと、前記スライド支持孔５８の横断面形状における長手方向他端側で第１および第２側壁部７８ａ，７８ｂ間を連結して第１連結壁部７８ｃに対向する第２連結壁部７８ｄと、前記スライド支持孔５８の内端側で第１側壁部７８ａ、第２側壁７８ｂ、第１連結壁部７８ｃおよび第２連結壁部７８ｄを連結する端壁部７８ｅとを一体に有するように形成され、このスライド部材７８には、前記蓋部材７１をあけて前記カバー部材３１の前記挿入孔６０から前記マグネットキー１７のキー本体１８を挿入するための有底のマグネットキー挿入孔８１が、略矩形の横断面形状を有するようにして形成される。
【００４６】
前記マグネットキー挿入孔８１に挿入される前記キー本体１８の先端部は、前記端壁部７８ｅに当接されるものであり、前記キー本体１８を押し込むことで前記スライド部材７８は前記スライド支持孔５８内をスライド移動する。しかもこのスライド部材７８の第１および第２連結壁部７８ｃ，７８ｄと、前記スライド支持孔５８の閉塞端との間には、コイルばねである第７ばね８２がそれぞれ縮設されており、前記スライド部材７８は前記カバー部材３１に近接する側にばね付勢されている。
【００４７】
前記スライド部材７８の第２側壁部７８ｂには、前記マグネットキー挿入孔８１に挿入されたマグネットキー１７を前記マグネット錠６６側に臨ませる窓８３が形成されており、前記スライド部材７８は、前記キー本体１８の挿入に応じて該マグネットキー１７とともに移動して前記マグネット錠６６における前記ロータ６７の閉塞端外面に前記マグネットキー１７を対向させることで該マグネット錠６６を解錠する解錠位置までの前記マグネットキー１７の挿入操作を可能とするだけでなく、前記解錠位置から前記キー本体１８をさらに押し込むことによる押し込み位置までの移動が可能である。
【００４８】
前記スライド部材７８の第２連結壁部７８ｄには、前記規制部材５６が一体に有する第１係合突部５６ｅと、前記ロータ６７が一体に有する第２係合突部６７ｄとを両側から突入させる収容孔８４が、前記スライド支持孔５８の前記シャッター板２９側の側面ならびに前記シャッター板２９とは反対側の側面に向かって開口しつつ、前記スライド支持孔５８の延出方向両端を閉じるようにして設けられており、前記可動係合部材７９および前記第６ばね８０は前記収容孔８４内に収容される。
【００４９】
前記可動係合部材７９は、前記マグネット錠６６の鎖錠状態では前記ロータ６７で移動が規制されるようにしつつ該ロータ６７が有する前記第２係合突部６７ｄに係合されて前記スライド部材７８に保持され、第６ばね８０は、前記スライド部材７８の前記押し込み位置側への移動に応じて前記ロータ６７を回動駆動する側に前記可動係合部材７９を押圧する弾発力を発揮するようにして前記スライド部材７８および前記可動係合部材７９間に設けられ、この第６ばね８０のばね荷重は第３ばね５８のばね荷重よりも大きく設定される。
【００５０】
前記可動係合部材７９は、前記ロータ６７が有する第２係合突部６７ｄを係合させる係止溝８５を有して前記ロータ６７の前記連結腕部６７ｃ側に開放した略Ｃ字状に形成される可動係合部材主部７９ａと、前記規制部材５６が有する第１係合突部５６ｅに前記カバー部材３１側から係合するようにして前記可動係合部材主部７９ａから突出される第３係合突部７９ｂとを一体に有するように形成される。また第６ばね８０の可動係合部材７９側の端部を受けるための円形の受け凹部８６が前記可動係合部材主部７９ａに形成される。
【００５１】
正規のマグネットキー１７の前記キー本体１８を前記スライド部材７８のマグネットキー挿入孔８１に挿入して押し込むと、解錠位置で前記マグネット錠６６が解錠することで前記ロータ６７の回動が許容されることになり、前記キー本体１８とともに前記スライド部材７８を前記解錠位置からさらに押し込むと、スライド部材７８の移動による押圧力が第６ばね８０および前記可動係合部材７９を介して前記ロータ６７の連結腕部６７ｃに伝達され、図８で示すように、前記可動係合部材７９が移動するとともにロータ６７が回動し、第３ばね５７で規制位置側に付勢された前記規制部材５６の第１係合突部５６ｅに前記可動係合部材７９の第３係合突部７９ｂが係合していることによって前記規制部材５６が規制解除位置に強制的に駆動され、図９で示すように、前記シャッター板２９の前記突部２９ｃへの前記規制突部５６ｄの係合が解除されるので規制部材５６による前記シャッター板２９の閉じ位置への規制が解除され、前記シャッター板２９は第２ばね５２のばね付勢力で開き位置に移動することになる。
【００５２】
また前記保護装置１３は、前記シャッター板２９が前記開き位置にある状態で、前記操作部材４１を前記メカニカルキー挿入孔２７への前記メカニカルキー１４の挿入方向と平行な方向に押圧操作することで、その押圧操作に連動させて前記シャッター板２９を前記開き位置から前記閉じ位置に駆動する連動駆動機構８８を備えており、この連動駆動機構８８は、前記操作部材４１および前記シャッター板２９間に設けられる。
【００５３】
この実施の形態で前記連動駆動機構８８は、前記操作部材４１に一体に設けられる押圧部４５に前記操作部材４１の他端側（カバー部材３１とは反対側）に臨むようにして形成される押圧カム面８９と、前記シャッター板２９に一体に設けられる受圧部５０に前記押圧カム面８９に対向するようにして形成される受圧カム面９０とで構成される。
【００５４】
前記押圧カム面８９は、前記シャッター板２９の回動方向３２で閉じ位置側に進むにつれて前記操作部材４１の一端側（カバー部材３１側）に位置するようにして螺旋状に形成されるものであり、前記受圧カム面９０も前記押圧カム面８９に対応して螺旋状に形成され、前記シャッター板２９が前記開き位置にある状態では、図９で示すように前記押圧カム面８９および前記受圧カム面９０は相互に当接もしくは近接対向している。
【００５５】
このような連動駆動機構８８では、シャッター板２９が開き位置にある状態で前記操作部材４１を押圧操作するのに応じて、図１０で示すように、前記押圧カム面８９からの押圧力が前記受圧カム面５０に作用して前記シャッター板２９が閉じ位置側に回動駆動されることになる。
【００５６】
ところで前記シャッター板２９が前記開き位置から前記閉じ位置に回動する際に、前記シャッター板２９の前記突部２９ｃは、規制位置側に向けて第３ばね５７で付勢された前記規制部材５６の規制突部５６ｄを乗り越えるものであり、その際の乗り越え作動を円滑とするために、前記規制突部５６ｄの前記カバー部材３１側に臨む面の前記回動方向３２に沿う少なくとも開き位置側の部分には、前記開き位置側に向かうにつれて前記カバー部材３１から遠くなるように傾斜した傾斜面９１が形成され、前記突部２９ｃの前記カバー部材３１とは反対側に臨む面には、前記傾斜面９１に対応して前記開き位置側に向かうにつれて前記カバー部材３１から遠くなるように傾斜した傾斜面９２が形成される。
【００５７】
次にこの実施の形態の作用について説明すると、メカニカルキー挿入孔２７へのメカニカルキー１４の挿入方向と平行な方向に押圧操作することを可能とした操作部材４１が、少なくともシャッター板２９を開き位置とした状態、この実施の形態では前記シャッター板２９の作動位置にかかわらずでケーシング２８におけるカバー部材３１の外面から前記操作部材４１の一端部を突出させるようにして前記ケーシング２８に支承され、前記シャッター板２９を前記操作部材４１の前記押圧操作に連動させて前記開き位置から前記閉じ位置に駆動する連動駆動機構８８が、前記操作部材４１および前記シャッター板２９間に設けられるので、開き位置に在る前記シャッター板２９を閉じ位置側に動かすときには、ケーシング２８の外面から一端部を突出させている操作部材４１を押し込み操作すればよく、ケーシング２８に、従来のような円弧状の開口部を設ける必要がなく、ケーシング２８のデザイン上の自由度が増大し、しかも操作部材４１の外周およびケーシング２８間のシールだけを考慮すればよいので防塵、防水構造上も有利となる。
【００５８】
また前記シャッター板２９が、前記閉じ位置および前記開き位置間での回動を可能として前記操作部材４１に軸支されるので、前記シャッター板２９および前記操作部材４１をコンパクトに纏めて配置することができる。
【００５９】
さらにシャッター板２９を閉じ位置に規制する規制状態ならびに前記閉じ位置から開き位置への前記シャッター板２９の作動を許容する規制解除状態を切換え可能とした作動規制機構５５を、その規制状態から規制解除状態に切換え得る解除機構６５の一部が、マグネットキー１７によって解錠するマグネット錠６６で構成されるので、解除機構６５のコンパクト化が可能となる。
【００６０】
以上、本発明の実施の形態について説明したが、本発明は上記実施の形態に限定されるものではなく、特許請求の範囲に記載された本発明を逸脱することなく種々の設計変更を行うことが可能である。
【００６１】
たとえば解除機構の一部をシリンダ錠で構成することもでき、また遠隔操作によって作動するアクチュエータを含むように解除機構を構成することも可能である。
【符号の説明】
【００６２】
１１・・・シリンダ錠
１４・・・メカニカルキー
１７・・・マグネットキー
２７・・・メカニカルキー挿入孔
２８・・・ケーシング
２９・・・シャッター板
４１・・・操作部材
５５・・・作動規制機構
６５・・・解除機構
８８・・・連動駆動機構
６６・・・マグネット錠
【図１】
2015108271.tif 000003
【図２】
2015108271.tif 000004
【図３】
2015108271.tif 000005
【図４】
2015108271.tif 000006
【図５】
2015108271.tif 000007
【図６】
2015108271.tif 000008
【図７】
2015108271.tif 000009
【図８】
2015108271.tif 000010
【図９】
2015108271.tif 000011
【図１０】
2015108271.tif 000012